(57)【要約】【課題】厚さの異なるカードを適宜保持するための構造を備えた車両用サンバイザを提供する。【解決手段】バイザ本体にカード５ａ〜５ｃを保持するカードホルダ４が設けられている。またカードホルダ４は、カード５ａ〜５ｃが差し込まれる差込部４０と、その差込部４０から差し込まれたカード５ａ〜５ｃを裏面側から支持する裏面支持部４１と、カード５を表面側から支持する表面支持部４２とを有する。そして裏面支持部４１と表面支持部４２との間には、厚さの異なるカード５を保持するために、厚さの薄いカード５ａを奥側まで差し込むことができ、その奥側位置において薄いカード５ａを保持する構造と、厚さの厚いカード５ｃを奥側位置の手前まで差し込むことができ、その手前位置において厚いカード５ｃを保持する構造とを有する。【選択図】　　　　図４
2004034900.tif 000002
【特許請求の範囲】
【請求項１】
バイザ本体にカードを保持するカードホルダが設けられている車両用サンバイザであって、
前記カードホルダは、前記カードが差し込まれる差込部と、その差込部から差し込まれた前記カードを裏面側から支持する裏面支持部と、前記カードを表面側から支持する表面支持部とを有し、
前記裏面支持部と前記表面支持部との間には、厚さの異なるカードを保持するために、厚さの薄いカードを奥側まで差し込むことができ、その奥側位置において前記薄いカードを保持する構造と、厚さの厚いカードを前記奥側位置の手前まで差し込むことができ、その手前位置において前記厚いカードを保持する構造とを有することを特徴とする車両用サンバイザ。
【請求項２】
請求項１に記載の車両用サンバイザであって、
裏面支持部と表面支持部の少なくとも一方の支持部には、他方の支持部に向けて突出する突出部が奥側に設けられており、
前記突出部は、差込部から差し込まれた厚いカードを前記突出部よりも奥側へ差込まれることを防止し、かつ薄いカードを前記突出部よりも奥側へ差し込むことを許容し、前記奥側へ差込まれた薄いカードを前記他方の支持部との協働によって保持することを特徴とする車両用サンバイザ。
【発明の詳細な説明】
【０００１】
【発明の属する技術分野】
この発明は、車室内への光の侵入を防止する車両用サンバイザに関する。
【０００２】
【従来の技術】
バイザ本体にカードホルダが設けられている車両用サンバイザが従来知られていた。例えば、バイザ本体にカードホルダが内設される形態のものが知られていた。またバイザ本体にミラー部材が設けられ、そのミラー部材がミラーとミラーを覆うミラー蓋とを備え、そのミラー蓋にカードホルダが形成されている形態のものも従来知られていた。
【０００３】
【発明が解決しようとする課題】
しかし従来のカードホルダは、所定の厚みを有するカードに対しては、十分に保持することができたが、所定の厚さよりも薄いカードに対しては十分に保持することができなかった。
またカードホルダは、通常、カードを裏面側から支持する裏面支持部と、表面側から支持する表面支持部とを有して構成されていた。したがって薄いカードを十分に保持するために、これらの間隔を狭くする形態も考えられる。しかしこの形態によると、厚いカードを差込みにくくしてしまう。そして厚いカードを繰り返し差込んだ場合は、これらが弾性戻りできなくなり、カードを保持する力が弱くなる場合も考えられる。
そこで本発明は、厚さの異なるカードを適宜保持するための構造を備えた車両用サンバイザを提供することを課題とする。
【０００４】
【課題を解決するための手段】
前記課題を解決するために本発明は、上記各請求項に記載の通りの構成を備える車両用サンバイザであることを特徴とする。
請求項１に記載の発明によれば、バイザ本体にカードを保持するカードホルダが設けられている。またカードホルダは、カードが差し込まれる差込部と、その差込部から差し込まれたカードを裏面側から支持する裏面支持部と、カードを表面側から支持する表面支持部とを有する。
そして裏面支持部と表面支持部との間には、厚さの異なるカードを保持するために、厚さの薄いカードを奥側まで差し込むことができ、その奥側位置において薄いカードを保持する構造と、厚さの厚いカードを奥側位置の手前まで差し込むことができ、その手前位置において厚いカードを保持する構造とを有する。
【０００５】
すなわち薄いカードは、カードホルダの奥側まで差し込むことができる。そしてその奥側位置において保持される。そして厚いカードは、奥側位置の手前まで差し込むことができる。そしてその手前位置において保持される。
したがってカードホルダは、薄いカードを奥側で保持する構造を備える。そのため薄いカードは、その構造によって安定よく保持される。
またカードホルダは、手前位置まで厚いカードに対応した構造になっている。そのため厚いカードをその手前位置において繰り返して抜き差しした場合でもカードホルダは、それによって無理な変形などがなされない。
【０００６】
したがって厚いカードを繰り返し抜き差しした場合であってもカードホルダがこれにより塑性変形することがほとんどない。かくしてカードホルダは、長期的に安定良くカードを保持できる。
なおカードホルダは、バイザ本体に設けられる形態であればどんな形態であってもよい。例えばバイザ本体に内設される形態のものであってもよいし、あるいはバイザ本体に設けられたミラー部材の一部材であるミラー蓋に設けられる形態であってもよい。
【０００７】
請求項２に記載の発明によれば、裏面支持部と表面支持部の少なくとも一方の支持部には、他方の支持部に向けて突出する突出部が奥側に設けられている。そしてその突出部は、差込部から差し込まれた厚いカードをその突出部よりも奥側へ差込まれることを防止し、かつ薄いカードをその突出部よりも奥側へ差し込むことを許容し、奥側へ差込まれた薄いカードを他方の支持部との協働によって保持する。
したがって薄いカードは、突出部によって安定よく保持される。
また厚いカードは、突出部によってその突出部よりも奥側へ差込まれることが防止される。そして厚いカードが奥側へ差し込まれることでカードホルダが大きく変形することが防止される。その結果、カードを保持する力が経時的に弱くなることが防止される。かくしてカードホルダは、厚さの異なるカードを適宜保持することができる構造になっている。またその構造は、突出部という容易な構造によって形成されている。
【０００８】
【発明の実施の形態】
（実施の形態１）
実施の形態１を図１〜４にしたがって説明する。
車両用サンバイザ１は、図１に示すように板状のバイザ本体２と、そのバイザ本体２が回動可能に取付けられる支軸１０とを有する。
支軸１０は、図１に示すように縦軸１０ａと横軸１０ｂとを備えた略Ｌ字状に形成されており、横軸１０ｂにバイザ本体２が回動可能に取付けられている。また縦軸１０ａは、取付ブラケット１１を介して車両天井に回動可能に取付けられる。
したがってバイザ本体２は、横軸１０ｂ周りに回動されることで、車室天井面に沿う格納位置と、フロントガラスに沿うフロント位置とに回動する。またバイザ本体２は、縦軸１０ａ周りに回動されることで、フロント位置とサイドガラスに沿ったサイド位置とに回動する。
【０００９】
またバイザ本体２には、図１に示すように片面の略中央位置にミラー部材３が設けられている。
このミラー部材３は、図２に示すようにミラー３２と、ミラー３２が取付けられるホルダー３０と、そのホルダー３０に回動可能に取付けられるミラー蓋３１を主体に構成されている。
ミラー蓋３１は、図２に示すようにホルダー３０の上端辺側を回動軸として回動可能に取付けられている。そしてミラー蓋３１は、その回動軸を中心に上方側へ回動されることでミラー３２を露出し（開き位置）、下方へ回動されることでミラー３２を覆う（閉じ位置）。
【００１０】
またミラー蓋３１には、図１に示すようにカード５を保持するためのカードホルダ４が設けられている。
このカードホルダ４は、略板状に形成されたミラー蓋３１の略中央位置に切れ込み３１ａが設けられ、その切れ込み３１ａによって下端側を支持点とする片持ち梁状の表面支持部４２が形成されている。
したがって表面支持部４２は、下端側がミラー蓋３１の本体部と連結されている。そしてその連結箇所から上方へ延出し、その上端側には、カード５を差込むための差込部４０が形成されている。
【００１１】
したがってカード５を上方から下方へ向けて移動させることで、カード５を表面支持部４２の裏側へ差込むことができる。
またカードホルダ４は、図１に示すように差込まれたカード５を裏面側から支持する裏面支持部４１を有する。したがって差込まれたカード５は、裏面支持部４１によって裏面側が支持され、表面支持部４２によって表面側が支持される。
またカードホルダ４に差込まれたカード５は、図１に示すように中央部分が表面支持部４２によって支持される。そして他の周囲部分（左右部分と上側部分）が裏面支持部４１によって支持される。
【００１２】
また表面支持部４２と裏面支持部４１の間には、厚さの異なるカード５（５ａ〜５ｃ）を適宜保持するための構造が設けられている。
すなわち表面支持部４２は、図４に示すように略板状の本体部４２ａを有する。そしてその本体部４２ａには、裏面支持部４１へ突出する複数の突出部（第一突出部４２ｂと第二突出部４２ｃ）が設けられている。
第一突出部４２ｂは、図４に示すように表面支持部４２の根元側、すなわちカードホルダ４の奥側に設けられている。したがって表面支持部４２と裏面支持部４１の間隙は、第一突出部４２ｂによって狭くなっている。
【００１３】
そしてその第一突出部４２ｂと裏面支持部４１との間に厚さが薄いカード５ａが差込まれると、第一突出部４２ｂは、裏面支持部４１との協働によってその薄いカード５ａを保持する。
すなわち薄いカード５ａは、その間隙よりも少しだけ厚さが厚く、第一突出部４２ｂと裏面支持部４１との間に差込まれることで、第一突出部４２ｂを押す。そして表面支持部４２が裏面支持部４１に対して離間方向へ弾性変形する。そのためカード５ａは、第一突出部４２ｂと裏面支持部４１とによって弾性的に挟持される。
【００１４】
また第二突出部４２ｃは、図４に示すように表面支持部４２の根元側（奥側）であって、第一突出部４２ｂよりも差込部４０側に設けられている。また第二突出部４２ｃは、第一突出部４２ｂよりも少ない量だけ裏面支持部４１に向けて突出している。したがって第二突出部４２ｃと裏面支持部４１との間には、中位の厚さのカード５ｂが弾性的に挟持され得る。すなわち第二突出部４２ｃは、裏面支持部４１との協働によって中位の厚さのカード５ｂを弾性的に挟持する。
【００１５】
また厚いカード５ｃは、図４に示すように本体部４２ａと裏面支持部４１との間によって弾性的に挟持される。すなわち厚いカード５ｃは、本体部４２ａと裏面支持部４１の間隙よりも少しだけ厚い。そしてこれらの間に厚いカード５ｃが差込まれることで表面支持部４２が裏面支持部４１に対して離間する方向へ弾性変形する。そのためカード５ｃは、本体部４２ａと裏面支持部４１とによって弾性的に挟持される。
【００１６】
また厚さの異なるカード５ａ〜５ｃは、次のようにカードホルダ４によって位置決めされる。すなわちカード５ａ〜５ｃは、図４に示すように差込部４０から差込まれる。そして薄いカード５ａは、図４に示すように奥側まで挿入でき、表面支持部４２の付け根によって位置決めされる。
また中位の厚さのカード５ｂは、図４に示すように第一突出部４２ｂに当接するまで挿入でき、第一突出部４２ｂによって奥側への差込みが規制される。したがってカード５ｂは、奥側の手前位置において位置決めされる。すなわち第一突出部４２ｂは、カード５ｂのストッパーになっている。また第一突出部４２ｂは、薄いカード５ａの第一突出部４２ｂよりも奥側への差し込みを許容する。
【００１７】
また厚いカード５ｃは、図４に示すように第二突出部４２ｃによって第二突出部４２ｃよりも奥側へ差込むことが規制される。すなわち第二突出部４２ｃは、厚いカード５ｃのストッパーとなっている。また第二突出部４２ｃは、薄いカード５ａと中位の厚さのカード５ｂの第二突出部４２ｃよりも奥側への差し込みを許容する。
また突出部４２ｂ，４２ｃは、図３に示すように表面支持部４２の裏面に設けられており、表面支持部４２の幅全長に渡って形成されている。したがって突出部４２ｂ，４２ｃは、広い面積でカード５ａ，５ｂに当接する。そのためカード５ａ，５ｂは、安定良く突出部４２ｂ，４２ｃによって保持され得る。
【００１８】
以上のようにして車両用サンバイザ１が形成される。
したがって薄いカード５ａは、カードホルダ４の奥側まで差し込むことができる。そしてその奥側位置において保持される。そして厚いカード５ｃは、奥側位置の手前まで差し込むことができる。そしてその手前位置において保持される。また中位の厚さのカード５ｂは、これらの中間の位置まで差込むことができ、その中間位置において保持される。
【００１９】
すなわち薄いカード５ａは、第一突出部４２ｂによって保持される。また中位の厚さのカード５ｂは、第二突出部４２ｃによって保持される。そして厚いカード５ｃは、本体部４２ａによって保持される。
したがって厚さの異なるカード５は、それぞれの構造によって安定よくカードホルダ４に保持され得る。すなわちカードホルダ４は、カードの厚さにほとんど関係なく適度な弾性力によって保持できる。例えば厚いカード５ｃと薄いカード５ａをほとんど同じ弾性力によって保持することが容易に達成できる。
【００２０】
またカードホルダ４は、手前位置まで（第二突出部４２ｃまで）は厚いカード５ｃに対応した構造になっている。そのため厚いカード５ｃをその手前位置において繰り返して抜き差しした場合でもカードホルダ４は、それによって無理な変形がされるおそれが少ない。換言すると第二突出部４２ｃは、厚いカード５ｃが第二突出部４２ｃよりも奥側へ挿入されることでカードホルダ４が大きく変形することを防止している。
したがって厚いカード５ｃを繰り返し抜き差しした場合であってもカードホルダ４がこれにより塑性変形することがほとんどない。かくしてカードホルダ４は、長期的に安定良くカード５を保持できる。
また中位の厚さのカード５ｂに対する第一突出部４２ｂの関係も上記と同様である。
【００２１】
またカード５ａ〜５ｃは、それぞれ奥側、第一突出部４２ｂ、第二突出部４２ｃによって位置決めがなされる。そのため使用者は、カード５を差込んだ感触を実感でき、使用勝手が良い。
またカードホルダ４は、抜き差しする毎に所定の位置で位置決めされる。したがってカード５は、毎回ほぼ同じ力によって保持され得る。
また第一突出部４２ｂおよび第二突出部４２ｃは、比較的容易な構造によって形成される。したがってカードホルダ４は、容易に形成され得る。
なお中位の厚さのカード５ｂは、カード５ａから見ると厚いカードに相当し、カード５ｃから見ると薄いカードに相当するカードである。
【００２２】
（実施の形態１の変形の形態）
以下に他の形態を図５，６にしたがって説明する。
実施の形態１では、図３に示すように突出部４２ｂ，４２ｃが表面支持部４２の幅全長に渡って形成されていた。しかし表面支持部４２の幅方向の全長ではなく、図５，６に示すように幅全長に形成されない形態であってもよい。
例えば図５に示すように表面支持部４２の裏側面の略中央位置に所定幅を有して形成される形態であってもよい。すなわち第一突出部４２ｄと第二突出部４２ｅを備え、こららが図４に示すように表面支持部４２から裏面支持部４１へ突出する形態であってもよい。
また図６に示すように表面支持部４２の裏側面の左右両端寄りに所定幅を有して形成される形態であってもよい。すなわち左右両端にそれぞれ第一突出部４２ｆと第二突出部４２ｇを備え、これらが図４に示すように表面支持部４２から裏面支持部４１へ突出する形態であってもよい。
【００２３】
（実施の形態２）
実施の形態２を図７にしたがって説明する。
実施の形態２は、実施の形態１と表面支持部の形態が異なるのみで、他の部材は、実施の形態１と同様に形成されている。したがってここでは、同一部材の説明を割愛し、同一部材に同一番号を利用しつつ異なる部分についての説明をする。
表面支持部６０も実施の形態１の表面支持部４２と同様に、厚さの異なるカード５（５ａ〜５ｃ）を適宜保持するための構造を備える。
すなわち表面支持部６０は、図７に示すように略板状に形成されており、その裏面側には、差込部４０から奥側へ向けて除々に表面支持部６０側へ向けて傾斜する傾斜面を有する。
【００２４】
したがって表面支持部６０と表面支持部６０の間隙は、図７に示すように差込部４０から奥側に近づくほど狭くなっている。そのため薄いカード５ａは、カードホルダ４の奥側まで差し込むことができる。そしてカード５ａは、奥側位置に差込まれることで表面支持部６０と裏面支持部４１とを弾性的に拡開する。これによってカード５ａは、表面支持部６０と裏面支持部４１とによって弾性的に挟持される。
また中位の厚さのカード５ｂは、その奥側位置よりも手前の位置において表面支持部６０と裏面支持部４１とによって弾性的に挟持される。そして厚いカード５ｃは、それよりも手前の位置まで差し込むことができ、その手前位置において表面支持部６０と裏面支持部４１とによって弾性的に挟持される。
かくしてカードホルダ４は、厚さの異なるカード５を適宜保持する。
【００２５】
またカード５ａ〜５ｃは、その厚さによってカードホルダ４への差込量が規制されている。すなわち中位の厚さのカード５ｂは、図７に示すように表面支持部６０の傾斜によって奥側位置の手前位置においてその差込量が規制されている。そして厚いカード５ｃは、さらにその手前位置においてその差込量が規制されている。
またカードホルダ４は、カード５ａ〜５ｃの差込量を微調整することも可能である。そしてその差込量の微調整によって表面支持部６０の弾性変形量を調整することができる。したがってカードホルダ４は、カード５ａ〜５ｃの挟持力を微調整することができる。
【００２６】
（実施の形態３）
実施の形態３を図８，９にしたがって説明する。
実施の形態３は、実施の形態１と表面支持部４２の形態が異なる形態である。すなわち表面支持部４２は、その裏面側に突出部４２ｂ，４２ｃ（図４参照）に代えて突出部４２ｈ，４２ｉを有する。
突出部４２ｈ，４２ｉは、図８に示すように本体部４２ａの幅の略中心位置に設けられており、これらは上下方向に並設した状態で本体部４２ａに設けられている。また突出部４２ｈ，４２ｉは、図８，９に示すように表面支持部４２から裏面支持部４１に向けて略半球状に突出している。
【００２７】
第一突出部４２ｈは、図９に示すように表面支持部４２の根元側、すなわち奥側位置に設けられている。そして第一突出部４２ｂは、裏面支持部４１側へ突出し、表面支持部４２と裏面支持部４１の間隙を狭くしている。したがって第一突出部４２ｂは、裏面支持部４１との協働によって薄いカード５ａを挟持する。
また第二突出部４２ｉは、図９に示すように第一突出部４２ｈよりも差込部４０寄り（手前寄り）に設けられている。そして第二突出部４２ｉは、第一突出部４２ｈよりも少ない量だけ裏面支持部４１へ向けて突出している。したがって第二突出部４２ｉは、裏面支持部４１との協働によって薄いカード５ａよりも厚さの厚い中位の厚さのカード５ｂを挟持する。
【００２８】
また厚いカード５ｃは、図９に示すように第二突出部４２ｉの手前位置において表面支持部４２の本体部４２ａと裏面支持部４１とによって挟持される。
したがってカードホルダ４は、厚さの異なるカード５ａ〜５ｃを適宜保持することができる。
また突出部４２ｈ，４２ｉは、カード５ｂ，５ｃを所定位置よりも奥側へ差込むことを防止するストッパーの役割を担う。
【００２９】
また突出部４２ｈ，４２ｉは、表面支持部４２の幅中央寄りにのみ設けられている。したがってカード５ａ，５ｂは、カードホルダ４に差込まれた場合、突出部４２ｈ，４２ｉによってその中央部分が裏面支持部４１側へ押される。そのためカード５ａ，５ｂは、幅中心が裏面支持部４１へ湾曲した状態でカードホルダ４に支持される。かくしてカード５ａ，５ｂは、弾性変形し、自己の弾性力によってもカードホルダ４に対して強く保持され得る。
【００３０】
（実施の形態４，５）
実施の形態４，５を図１０，１１にしたがって説明する。実施の形態４、５は、実施の形態１とカードホルダの形態が異なる。以下に異なる部分についての説明をする。
実施の形態４のカードホルダ４３は、図１０に示すようにカード５を横から差込める構造であって、表面支持部４３ｃの左右の一端側（本実施の形態では右端側）からカード５を差込むことができる差込部４３ａを有する。
【００３１】
またカードホルダ４３は、差込まれたカード５を保持するためにカード５の裏面を支持する裏面支持部４３ｂと、カード５を表面側から支持する表面支持部４３ｃとを有する。そして表面支持部４３ｃは、左右の他端側（本実施の形態では左端側）を支持点とする片持ち梁状に形成されている。
そして表面支持部４３ｃには、実施の形態１と同様に第一突出部４３ｄと第二突出部４３ｅが形成されている。
すなわち実施の形態４は、実施の形態１とカードホルダ４３の向きが異なる形態であり、他の構成は、実施の形態１と同様に形成されている。
【００３２】
実施の形態５にかかるカードホルダ４４は、図１１に示すようにカード５を横側から、あるいは上側から挿入できる構成になっている。すなわちカード５を差込むための差込部４４ａが、表面支持部４４ｃの左右の一端側（本実施の形態では右端側）と上端側に連続して形成されている。
またカードホルダ４４は、差込まれたカード５を保持するためにカード５の裏面を支持する裏面支持部４４ｂと、カード５を表面側から支持する表面支持部４４ｃとを有する。そして表面支持部４４ｃは、左右の一端側（本実施の形態では左端側）と下端側から延出する板状に形成されている。
そして表面支持部４４ｃには、実施の形態１と同様に第一突出部４４ｄと第二突出部４４ｅが形成されている。そして他の構成は、実施の形態１と同様に形成されている。
【００３３】
（実施の形態６）
実施の形態６を図１２〜１４にしたがって説明する。
実施の形態６は、実施の形態１とカードホルダの形態が異なる形態である。
すなわちカードホルダ６１は、図１２に示すようにカード５が差し込まれる差込部６２と、差込まれたカード５を裏面側から支持する裏面支持部６３と、カード５を表面側から支持する表面支持部６４とを有する。
表面支持部６４は、図１３に示すように下端側が支持された片持ち梁状の板状に形成されている。また表面支持部６４は、実施の形態１で設けられていた突出部（４２ｂ，４２ｃ）を有さない形態である（図４参照）。
【００３４】
裏面支持部６３は、図１２に示すようにミラー蓋３１の周辺部を除く中央部に凹部６３ａを有する。このため凹部６３ａを利用してカードをカードホルダ６１に差し込みやすい。
また裏面支持部６３には、厚さの異なるカードを適宜保持するための構造が設けられている。すなわち裏面支持部６３は、図１４に示すように凹部６３ａの底面から表面支持部６４側へ突出する複数の突出部６３ｂ，６３ｃを有する。
【００３５】
突出部６３ｂ，６３ｃは、図１２に示すように差込部６２に対しての奥側であって、表面支持部６４の付け根寄りに設けられている。また突出部６３ｂ，６３ｃは、表面支持部６４の左右両端側、すなわち凹部６３ａの左右両端寄りに左右方向に沿って形成されている。
また第一突出部６３ｂと第二突出部６３ｃは、隣接して設けられており、第二突出部６３ｃは、図１４に示すように第一突出部６３ｂよりも差込部６２側（手前寄り）に設けられている。また第二突出部６３ｃは、第一突出部６３ｂよりも突出量が少ない。
【００３６】
これにより薄いカード５ａは、奥側まで差込むことができ、第一突出部６３ｂと表面支持部６４の協働によって弾性的に保持される。そして中位の厚さのカード５ｂは、第一突出部６３ｂの手前位置まで差込むことができ、その手前位置において第二突出部６３ｃと表面支持部６４との協働によって弾性的に保持される。また厚いカード５ｃは、第二突出部６３ｃの手前位置まで差込むことができ、その手前位置において凹部６３ａの底面と表面支持部６４との協働によって弾性的に保持される。
すなわち本実施の形態は、カードの厚みに対応する構造が裏面支持部６３側に設けられている形態になっている。
【００３７】
（実施の形態７）
実施の形態７を図１５，１６にしたがって説明する。
実施の形態１では、カードホルダがミラー部材の一部に設けられていた（図１参照）。しかし実施の形態７は、図１５に示すようにカードホルダ７１がバイザ本体７０に直接設けられる形態である。
カードホルダ７１は、図１５に示すようにバイザ本体７０に内設される略箱状に形成されたケース７２と、バイザ本体７０の表面側に取付けられる口枠状の口枠体７５を主体に構成されている。
ケース７２は、図１６に示すようにカード５を差込むために開口された差込部７６を右端に備える。またケース７２は、差込まれたカード５を表面側から支持する表面支持部７４と、カード５を裏面側から支持する裏面支持部７３とを備える。
【００３８】
またケース７２の奥側には、表面支持部７４から裏面支持部７３に向けて突出する複数の突出部７４ｂ，７４ｃが形成されている。
第一突出部７４ｂは、図１６に示すように奥側（左端）に設けられている。そして第二突出部７４ｃは、この第一突出部７４ｂの手前寄りの隣接位置に設けられている。また第二突出部７４ｃは、第一突出部７４ｂよりも突出量が少ない。また突出部７４ｂ，７４ｃは、図への記載は省略しているが表面支持部７４の幅方向（図１５における上下幅方向）に渡って形成されている。
【００３９】
これによって薄いカード５ａは、図１６に示すように奥側まで差込むことができ、第一突出部７４ｂと裏面支持部７３の協働によって弾性的に保持される。そして中位の厚さのカード５ｂは、第一突出部７４ｂの手前位置まで差込むことができ、その手前位置において第二突出部７４ｃと裏面支持部７３との協働によって弾性的に保持される。また厚いカード５ｃは、第二突出部７４ｃの手前位置まで差込むことができ、その手前位置において表面支持部７４の本体部７４ａと裏面支持部７３との協働によって弾性的に保持される。
すなわち実施の形態７も実施に形態１と同様に厚さの異なるカード５ａ〜５ｃを適宜保持することができる構成になっている。
【００４０】
また実施の形態７では、突出部（７４ｂ，７４ｃ）が図１６に示すように表面支持部側に設けられていた。しかし裏面支持部側に突出部が設けられる形態であってもよい。すなわち裏面支持部の奥側に表面支持部に向かって突出する突出部を設ける形態であってもよい。
【００４１】
【発明の効果】
本発明に係る車両用サンバイザによれば、車両用サンバイザがカードホルダを有し、そのカードホルダが厚さの異なるカードを適宜保持する。
【図面の簡単な説明】
【図１】車両用サンバイザの斜視図である。
【図２】ミラー部材の斜視図である。
【図３】ミラー蓋（カードホルダ）の裏面側を示す背面図である。
【図４】図３のＡ−Ａ線断面矢視図であるとともに、図５におけるＢ−Ｂ線断面矢視図、および図６におけるＣ−Ｃ断面矢視図である。
【図５】実施の形態１の変形形態であって、図３に相当する図である。
【図６】実施の形態１の変形形態であって、図３に相当する図である。
【図７】実施の形態２にかかるミラー蓋（カードホルダ）の断面図であって、図４に相当する図である。
【図８】実施の形態３のミラー蓋（カードホルダ）の裏面側を示す背面図である。
【図９】図８のＤ−Ｄ線断面矢視図である。
【図１０】実施の形態４のミラー蓋（カードホルダ）の表面側を示す正面図である。
【図１１】実施の形態５のミラー蓋（カードホルダ）の表面側を示す正面図である。
【図１２】実施の形態６のミラー蓋（カードホルダ）の表面側を示す正面図である。
【図１３】図１２のＥ−Ｅ線断面矢視図である。
【図１４】図１２のＦ−Ｆ線断面矢視図である。
【図１５】実施の形態７の車両用サンバイザの斜視図である。
【図１６】図１５のＧ−Ｇ線断面一部拡大矢視図である。
【符号の説明】
１…車両用サンバイザ
２，７０…バイザ本体
３…ミラー部材
４，４３，４４，６１，７１…カードホルダ
５，５ａ，５ｂ，５ｃ…カード
３１…ミラー蓋
３２…ミラー
４０，４３ａ，４４ａ，６２，７６…差込部
４１，４３ｂ，４４ｂ，６３，７３…裏面支持部
４２，４３ｃ，４４ｃ，６０，６４，７４…表面支持部
４２ａ，７４ａ…本体部
４２ｂ，４２ｄ，４２ｆ，４２ｈ，４３ｄ，４４ｄ，６３ｂ，７４ｂ
…第一突出部
４２ｃ，４２ｅ，４３ｅ，４４ｅ，４２ｇ，４２ｉ，６３ｃ，７４ｃ
…第二突出部
【図１】
2004034900.tif 000003
【図２】
2004034900.tif 000004
【図３】
2004034900.tif 000005
【図４】
2004034900.tif 000006
【図５】
2004034900.tif 000007
【図６】
2004034900.tif 000008
【図７】
2004034900.tif 000009
【図８】
2004034900.tif 000010
【図９】
2004034900.tif 000011
【図１０】
2004034900.tif 000012
【図１１】
2004034900.tif 000013
【図１２】
2004034900.tif 000014
【図１３】
2004034900.tif 000015
【図１４】
2004034900.tif 000016
【図１５】
2004034900.tif 000017
【図１６】
2004034900.tif 000018